(57)【要約】【課題】通信回線を接続する携帯機器の台数が多くなって描画メモリのメモリ空間が不足してしまった場合であっても、ユーザが必要とする情報を適切に提供する。【解決手段】車載ナビゲーションシステム１は、描画を要求するカーソル操作が例えば携帯機器１１にて行われると、描画メモリ６のメモリ空間のうち当該携帯機器１１に対して割当てたメモリ空間が所定容量未満であれば、当該カーソル操作により要求された描画に必要な描画データをリソースデータベース１０から読出して携帯機器１１の描画メモリ１１ａに転送して当該描画メモリ１１ａのメモリ空間に展開させ、その描画データに基づく表示画面を携帯機器１１の表示装置１１ｂに表示させる。【選択図】図１
2008090795.tif 000002
【特許請求の範囲】
【請求項１】
カーソル操作を可能な携帯機器との間で通信回線を接続する通信回線接続手段と、
描画データを記憶する描画データ記憶手段と、
前記描画データ記憶手段に記憶されている描画データが展開される描画メモリと、
前記通信回線接続手段との間で通信回線を接続した携帯機器に対応するカーソルを前記表示手段に表示させると共に、当該携帯機器に対して前記描画メモリのメモリ空間を割当てる制御手段とを備え、
前記制御手段は、描画を要求するカーソル操作が携帯機器にて行われた場合に、前記描画メモリのメモリ空間のうち当該携帯機器に対して割当てたメモリ空間が所定容量以上である場合には、当該カーソル操作により要求された描画に必要な描画データを前記描画データ記憶手段から読出して当該携帯機器に対して割当てたメモリ空間に展開させ、その描画データに基づく表示画面を表示手段に表示させ、前記描画メモリのメモリ空間のうち当該携帯機器に対して割当てたメモリ空間が所定容量未満である場合には、当該カーソル操作により要求された描画に必要な描画データを前記描画データ記憶手段から読出して前記描画メモリとは異なる別の描画メモリに転送して前記別の描画メモリのメモリ空間に展開させ、その描画データに基づく表示画面を別の表示手段に表示させることを特徴とする車載マルチカーソルシステム。
【請求項２】
請求項１に記載した車載マルチカーソルシステムにおいて、
ユーザが別の表示手段を選択する選択手段を備え、
前記制御手段は、前記描画メモリのメモリ空間のうち当該携帯機器に対して割当てたメモリ空間が所定容量未満である場合には、当該カーソル操作により要求された描画に必要な描画データを前記描画データ記憶手段から読出してユーザが前記選択手段にて選択した別の表示手段に対応する別の描画メモリに転送して前記別の描画メモリのメモリ空間に展開させ、その描画データに基づく表示画面をユーザが前記選択手段にて選択した別の表示手段に表示させることを特徴とする車載マルチカーソルシステム。
【請求項３】
請求項１または２に記載した車載マルチカーソルシステムにおいて、
前記制御手段は、複数の携帯機器の各々に対応する複数のカーソルがカーソル操作可能範囲を共有する場合には、各々の携帯機器のカーソル操作に優先度を設定し、その優先度にしたがってカーソル操作に応じた処理を行うことを特徴とする車載マルチカーソルシステム。
【請求項４】
請求項１ないし３のいずれかに記載した車載マルチカーソルシステムにおいて、
前記制御手段は、カーソル操作が有効となるカーソル操作可能範囲を携帯機器毎に設定することを特徴とする車載マルチカーソルシステム。
【請求項５】
請求項１ないし４のいずれかに記載した車載マルチカーソルシステムにおいて、
前記制御手段は、携帯機器に対応するカーソルをカーソル操作可能範囲であるか否かを区別して前記表示手段に表示させることを特徴とする車載マルチカーソルシステム。
【請求項６】
請求項１ないし５のいずれかに記載した車載マルチカーソルシステムにおいて、
前記制御手段は、カーソルをホーム位置に移動させる操作が携帯機器にて行われた場合に、カーソルをホーム表示位置にて前記表示手段に表示させることを特徴とする車載マルチカーソルシステム。
【発明の詳細な説明】
【技術分野】
【０００１】
本発明は、例えば車載ナビゲーションシステムに適用される車載マルチカーソルシステムに関する。
【背景技術】
【０００２】
複数の携帯機器が通信回線を同時に接続する（ログインする）ことにより、複数の携帯機器の各々に対応する複数のカーソルを１つの表示装置に表示し、複数の携帯機器の各々でのカーソル操作を１つの表示装置に集約する情報表示システムが供されている。
【特許文献１】特開２００５−０３８１１０号公報
【発明の開示】
【発明が解決しようとする課題】
【０００３】
ところで、このように複数の携帯機器の各々でのカーソル操作を１つの表示装置に集約するシステムでは、携帯機器との間で通信回線を接続すると、その携帯機器に対して描画メモリのメモリ空間を割当て、描画を要求するカーソル操作が携帯機器にて行われると、そのカーソル操作により要求された描画に必要な描画データを描画メモリのメモリ空間に展開させ、その描画データに基づく表示画面を表示する構成が想定される。
【０００４】
しかしながら、描画メモリのメモリ空間は有限であるので、通信回線を接続する携帯機器の台数が多くなると、描画メモリのメモリ空間が不足する事態が懸念され、描画メモリのメモリ空間が不足してしまうと、ユーザが要求する表示画面を表示することができず、ユーザが必要とする情報を提供することができないという問題がある。
【０００５】
本発明は、上記した事情に鑑みてなされたものであり、その目的は、通信回線を接続する携帯機器の台数が多くなって描画メモリのメモリ空間が不足してしまった場合であっても、ユーザが必要とする情報を適切に提供することができる車載マルチカーソルシステムを提供することにある。
【課題を解決するための手段】
【０００６】
請求項１に記載した発明によれば、制御手段は、通信回線接続手段が携帯機器との間で通信回線を接続すると、その通信回線を接続した携帯機器に対応するカーソルを表示手段に表示させると共に、当該携帯機器に対して描画メモリのメモリ空間を割当てる。そして、制御手段は、描画を要求するカーソル操作が携帯機器にて行われると、描画メモリのメモリ空間のうち当該携帯機器に対して割当てたメモリ空間が所定容量以上であれば、当該カーソル操作により要求された描画に必要な描画データを描画データ記憶手段から読出して当該携帯機器に対して割当てたメモリ空間に展開させ、その描画データに基づく表示画面を表示手段に表示させ、一方、描画メモリのメモリ空間のうち当該携帯機器に対して割当てたメモリ空間が所定容量未満であれば、当該カーソル操作により要求された描画に必要な描画データを描画データ記憶手段から読出して描画メモリとは異なる別の描画メモリに転送して別の描画メモリのメモリ空間に展開させ、その描画データに基づく表示画面を別の表示手段に表示させる。
【０００７】
これにより、通信回線を接続する携帯機器の台数が多くなって描画メモリのメモリ空間が不足してしまった場合であっても、描画データを描画メモリとは異なる別の描画メモリに転送して別の描画メモリのメモリ空間に展開し、その描画データに基づく表示画面を別の表示手段に表示させることにより、ユーザが必要とする情報を別の表示手段にて適切に提供することができ、別の描画メモリ及び別の表示手段として例えば携帯機器の描画メモリ及び表示手段を使用すれば、ユーザが必要とする情報を携帯機器の表示手段にて適切に提供することができる。
【０００８】
請求項２に記載した発明によれば、制御手段は、描画メモリのメモリ空間のうち当該携帯機器に対して割当てたメモリ空間が所定容量未満であれば、当該カーソル操作により要求された描画に必要な描画データを描画データ記憶手段から読出してユーザが選択手段にて選択した別の表示手段に対応する別の描画メモリに転送して別の描画メモリのメモリ空間に展開させ、その描画データに基づく表示画面をユーザが選択手段にて選択した別の表示手段に表示させる。これにより、その描画データに基づく表示画面をユーザが選択した別の表示手段に表示させることにより、ユーザが必要とする情報をユーザが選択した別の表示手段にて適切に提供することができる。
【０００９】
請求項３に記載した発明によれば、制御手段は、複数の携帯機器の各々に対応する複数のカーソルがカーソル操作可能範囲を共有する場合には、各々の携帯機器のカーソル操作に優先度を設定し、その優先度にしたがってカーソル操作に応じた処理を行うので、予め優先度を設定しておくことにより、カーソル操作が競合してしまうことを回避することができる。
請求項４に記載した発明によれば、制御手段は、カーソル操作が有効となるカーソル操作可能範囲を携帯機器毎に設定するので、複数の携帯機器との間で通信回線を接続している場合に、各々のカーソル操作可能範囲を重複しないように割当てることにより、カーソル操作が競合してしまうことを回避することができる。
【００１０】
請求項５に記載した発明によれば、制御手段は、携帯機器に対応するカーソルをカーソル操作可能範囲であるか否かを区別して表示手段に表示させるので、カーソル操作が有効であるか否かをユーザに認識させることができる。
請求項６に記載した発明によれば、制御手段は、カーソルをホーム位置に移動させる操作が携帯機器にて行われると、カーソルをホーム表示位置にて表示手段に表示させるので、自分のカーソルをユーザに確実に認識させることができる。
【発明を実施するための最良の形態】
【００１１】
以下、本発明の車載マルチカーソルシステムを車載ナビゲーションシステムに適用した一実施形態について、図面を参照して説明する。尚、本実施形態では、３台の携帯機器が車室内に持込まれており、車載ナビゲーションシステムが３台の携帯機器との間で通信回線を同時に接続する場合を説明する。
【００１２】
図１は、車載ナビゲーションシステムの本発明に係る要部を機能ブロック図として示している。車載ナビゲーションシステム１は、制御部２（本発明でいう制御手段）、近距離無線通信部３（本発明でいう通信回線接続手段）、操作部４（本発明でいう選択手段）、機器管理部５、描画メモリ（グラフィックメモリ）６、メイン表示装置７（本発明でいう表示手段）、サブ表示装置８，９及びリソースデータベース１０（本発明でいう描画データ記憶手段）を備えて構成されている。
【００１３】
尚、車載ナビゲーションシステム１は、これらの機能ブロックの他に、現在位置を検出する現在位置検出部、地図データが記録されている記録媒体から地図データを読取る地図データ読取部、音声を認識する音声認識部及び現在地から目的地までの経路を探索する経路探索部、経路探索部が探索した経路を案内する経路案内部、外部と通信する外部通信部などの周知のナビゲーション動作を行うのに必要な機能ブロックを備えて構成されている。
【００１４】
制御部２は、ＣＰＵ、ＲＡＭ、ＲＯＭ及びＩ／Ｏバスなどから構成されており、車載ナビゲーションシステム１の動作全般を制御し、描画メモリ管理、リソース管理、表示制御、通信制御及び機器管理制御などを行う。近距離無線通信部３は、車室内の略全域に微弱電界を形成して近距離無線通信エリアを形成しており、車室内に持込まれた携帯機器１１〜１３との間で通信回線を接続して近距離無線通信を行う。この場合の近距離無線通信は例えばＢｌｕｅｔｏｏｔｈ（登録商標）や無線ＬＡＮの規格に準拠するものであり、近距離無線通信部３が３台の携帯機器１１〜１３との間で通信回線を同時に接続して近距離無線通信を行う。携帯機器１１〜１３は、例えば携帯電話機や携帯情報端末などから構成され、各々が制御部、近距離無線通信部、電話通信部及び操作部の他に、描画メモリ１１ａ〜１３ａ（本発明でいう別の描画メモリ）及び表示装置１１ｂ〜１３ｂ（本発明でいう別の表示手段）を備えて構成されている。
【００１５】
操作部４は、メイン表示装置７に機械的に配置されているメカニカルスイッチや当該メイン表示装置７の表示画面に形成されるタッチスイッチから構成され、ユーザの操作を検出して操作検出信号を制御部２に出力する。機器管理部５は、例えばＥＴＣ車載器やＤＳＲＣ車載機などの車載通信機１４、オーディオ機器１５及びエアコン１６の動作を制御する。この場合、制御部２は、携帯機器１１〜１３から送信された機器制御信号を近距離無線通信部３により受信すると、その受信した機器制御信号を解析し、機器管理部５に車載通信機１４、オーディオ機器１５及びエアコン１６の動作を制御させる。
【００１６】
メイン表示装置７は、ユーザが主として目視する例えばセンターコンソールに配置されている液晶ディスプレイから構成され、一方、サブ表示装置８，９は、ユーザが補助として目視する例えばヘッドアップディスプレイやメータパネルのディスプレイから構成されている。リソースデータベース１０は、制御部２が表示画面を描画するのに必要な描画データ及び携帯機器１１〜１３に関する携帯機器データをリソースとして記憶する。この場合、制御部２は、携帯機器１１〜１３が近距離無線通信部３との間で通信回線を接続すると、その通信回線を接続した携帯機器１１〜１３から送信された当該携帯機器１１〜１３の描画メモリ１１ａ〜１３ａの仕様（使用可能容量など）や表示装置１１ｂ〜１３ｂの仕様（表示領域サイズなど）を受信することにより、近距離無線通信部３との間で通信回線を接続している携帯機器１１〜１３に関する携帯機器データを記憶する。また、描画データは、例えば店舗の所在位置などの動的に変化しないデータのみでなく、例えば駐車場の空き情報などの動的に変化するデータも含まれ、制御部２は、外部から駐車場の空き情報などを取得することにより、これら駐車場の空き情報などの動的に変化するデータを逐一更新するようになっている。
【００１７】
図２は、描画メモリ６のメモリ空間の構成を概略的に示している。制御部２は、背景表示画面を形成する描画データを展開させるメモリ空間として「レイヤ０」を割当てる。この場合、「レイヤ０」には、背景表示画面を形成するのに必要なデータとして、背景表示画面データ、オブジェクトイメージデータ、テキストの配置情報、各種ボタンの配置情報やプロパティ、フィールドの配置情報やプロパティが含まれる。また、制御部２は、近距離無線通信部３が携帯機器１１〜１３との間で通信回線を接続すると、それら携帯機器１１〜１３に対して描画データを展開させるメモリ空間として「レイヤ１」〜「レイヤ３」を割当て、当該携帯機器１１〜１３のカーソル操作が有効となるカーソル操作可能範囲を規定する。この場合、「レイヤ１」〜「レイヤ３」」には、各々の携帯機器１１〜１３に関する携帯機器データが含まれる。
【００１８】
ここで、制御部２は、例えば図３に示すような背景表示画面をメイン表示装置７に表示させる場合に、図４に示すように、「レイヤ１」〜「レイヤ３」の全てを背景表示画面の略全体に対して割当てると、図５に示すように、携帯機器１１〜１３の各々のカーソル操作可能範囲を背景表示画面のオブジェクト７ａ〜７ｍの全てに対して設定することになり、携帯機器１１〜１３の各々を使用する全てのユーザがオブジェクト７ａ〜７ｍの全てを操作することが可能となる。この場合は、カーソル操作が競合する可能性があるので、各々の携帯機器１１〜１３のカーソル操作に優先度を設定し、その優先度にしたがってカーソル操作に応じた処理を行うように構成すれば、カーソル操作が競合してしまうことを回避することができる。
【００１９】
一方、制御部２は、図６に示すように、「レイヤ１」〜「レイヤ３」の各々を背景表示画面の一部に対して重複しないように割当てると、図７に示すように、携帯機器１１〜１３の各々のカーソル操作可能範囲を背景表示画面のオブジェクト７ａ〜７ｍに対して分割して設定することになり、携帯機器１１を使用するユーザがオブジェクト７ａ〜７ｅを操作することが可能となり、携帯機器１２を使用するユーザがオブジェクト７ｆ〜７ｋを操作することが可能となり、携帯機器１３を使用するユーザがオブジェクト７ｌ〜７ｍを操作することが可能となる。この場合は、カーソル操作が競合する可能性はない。
【００２０】
尚、カーソル操作可能範囲を設定するに際しては、携帯機器１１〜１３からの指示に基づいてカーソル操作可能範囲を設定しても良いし、携帯機器１１〜１３から送信された当該携帯機器１１〜１３の仕様を受信することにより、その携帯機器１１〜１３の仕様に基づいてカーソル操作可能範囲を設定しても良い。また、ユーザがカーソル操作可能範囲を変更する操作を行ったことに応じてカーソル操作可能範囲を変更しても良い。
【００２１】
次に、上記した構成の作用について、図８ないし図１１を参照して説明する。尚、本実施形態では、携帯機器１１〜１３のうち携帯機器１１が車載ナビゲーションシステム１に対して通信回線を接続する（ログインする）場合を説明する。
【００２２】
車載ナビゲーションシステム１において、制御部２は、ユーザが携帯機器１１にてログインを要求する操作を行ったことに応じて当該携帯機器１１から送信された携帯機器ＩＤやユーザＩＤが格納されたログイン要求信号を近距離無線通信部３により受信すると、システムＩＤが格納されたログイン応答信号を近距離無線通信部３から携帯機器１１に送信させ、ログイン要求信号から携帯機器ＩＤ及びユーザＩＤを抽出して携帯機器１１を認証する。
【００２３】
一方、携帯機器１１は、車載ナビゲーションシステム１から送信されたログイン応答信号を受信すると、そのログイン応答信号からシステムＩＤを抽出して車載ナビゲーションシステム１を認証し、認証結果が正である場合には、認証正信号を車載ナビゲーションシステム１に送信する。そして、制御部２は、携帯機器１１を認証した認証結果が正であり、且つ、携帯機器１１から送信された認証正信号を近距離無線通信部３により受信すると、双方の認証結果が正であると判定し、ログイン許可信号を近距離無線通信部３から携帯機器１１に送信させる。
【００２４】
さて、携帯機器１１を使用するユーザが描画を要求するカーソル操作を行った場合を想定する。制御部２は、ユーザが携帯機器１１にて描画を要求するカーソル操作を行ったことに応じて当該携帯機器１１から送信された描画要求信号を近距離無線通信部３により受信すると、その時点での描画メモリ６のメモリ空間のうち携帯機器１１に対して割当てたメモリ空間が所定容量以上であるか否かを判定する。この場合の所定容量とは、描画データを展開するのに何ら支障を生じない容量である。
【００２５】
ここで、制御部２は、その時点での携帯機器１１に対して割当てたメモリ空間が所定容量以上であると、その描画するのに必要な描画データをリソースデータベース１５から読出し、その読出した描画データを携帯機器１１に対して割当てたメモリ空間に展開させ、その描画データに基づく表示画面をメイン表示装置７に表示させる。
【００２６】
具体的には、制御部２は、図９に示すように、ユーザが背景表示画面に表示されている「交通案内駐車場」ボタンを操作すると（クリックすると）、その時点での携帯機器１１に対して割当てたメモリ空間が所定容量以上であると、その「交通案内駐車場」に対応する描画データを携帯機器１１に対して割当てたメモリ空間に展開させ、その描画データに基づく表示画面をメイン表示装置７に表示させる。これにより、携帯機器１１を使用するユーザは、例えば駐車場の空き情報をメイン表示装置７にて確認することができる。
【００２７】
これに対して、制御部２は、その時点での携帯機器１１に対して割当てたメモリ空間が所定容量未満であると（不足していると）、転送先選択画面をメイン表示装置７に表示させる。この場合、制御部２は、リソースデータベース１０に記憶されている携帯機器データを参照し、その時点で描画データを転送可能な（描画メモリの空きが十分にある）携帯機器を判定し、その描画データを転送可能であると判定した携帯機器の一覧を転送先選択画面としてメイン表示装置７に表示させる。そして、制御部２は、ユーザが転送先を選択すると、その描画するのに必要な描画データをリソースデータベース１５から読出し、その読出した描画データを携帯機器１１に対して割当てたメモリ空間に展開させることなく、その読出した描画データをユーザが選択した転送先の描画メモリに転送して当該描画メモリのメモリ空間に展開させる。
【００２８】
具体的には、制御部２は、図１０に示すように、ユーザが背景表示画面に表示されている「交通案内駐車場」ボタンを操作すると（クリックすると）、その時点での携帯機器１１に対して割当てたメモリ空間が所定容量未満であると、転送先として携帯機器１１〜１３を選択させる転送先選択画面をメイン表示装置７に表示させ、ユーザが転送先として例えば携帯機器１１を選択すると、その「交通案内駐車場」に対応する描画データを携帯機器１１の描画メモリ１１ａに転送して当該描画メモリ１１ａのメモリ空間に展開させ、図１１に示すように、その描画データに基づく表示画面を携帯機器１１の表示装置１１ｂに表示させる。これにより、携帯機器１１を使用するユーザは、例えば駐車場の空き情報を自分の携帯機器１１の表示装置１１ｂにて確認することができる。
【００２９】
ところで、以上は、駐車場の空き情報を表示する場合を説明したが、地図を拡大表示する場合や検索情報の検索結果を表示する場合も、これと同様にして、描画を要求した携帯機器に対して割当てたメモリ空間が所定容量以上であるか否かを判定し、これ以降、描画を要求した携帯機器に対して割当てたメモリ空間が所定容量以上であると、該当する表示画面をメイン表示装置７に表示させ、一方、描画を要求した携帯機器に対して割当てたメモリ空間が所定容量未満であると、該当する表示画面をユーザが選択した転送先の表示装置に表示させる。
【００３０】
また、以上は、ユーザが転送先として自分の携帯機器１１を選択したことにより、描画データを携帯機器１１の描画メモリ１１ａに転送させる場合を説明したが、ユーザが転送先として他人の携帯機器１２または携帯機器１３を選択したことにより、描画データを携帯機器１２の描画メモリ１２ａまたは携帯機器１３の描画メモリ１３ａに転送しても良く、このようにすれば、携帯機器１１を使用するユーザは、例えば駐車場の空き情報を他人の携帯機器１２の表示装置１２ｂまたは携帯機器１３の表示装置１３ｂにて確認することができる。
【００３１】
また、サブ表示装置８，９として機能するヘッドアップディスプレイやメータパネルのディスプレイに対して描画メモリが設けられている構成であれば、描画データをヘッドアップディスプレイやメータパネルのディスプレイの描画メモリに転送しても良く、このようにすれば、携帯機器１１を使用するユーザは、例えば駐車場の空き情報をヘッドアップディスプレイやメータパネルのディスプレイにて確認することができる。ユーザが転送先を選択する構成に限らず、描画データを転送可能な転送先が１つしか存在しない場合であれば、ユーザが転送可否を選択し、ユーザが転送可を選択した場合に、描画データを転送しても良い。
【００３２】
また、携帯機器１１〜１３に対応するカーソルをメイン表示装置７に表示させる場合に、カーソルが当該カーソルに対して設定されたカーソル操作可能範囲から外れた場合にカーソルを表示させないことにより、カーソル操作可能範囲であるか否かを区別して表示させても良い。また、カーソルをホーム位置に移動させる操作が携帯機器１１〜１３にて行われると、カーソルをホーム表示位置にてメイン表示装置７に表示させても良い。さらに、カーソルがカーソル操作可能な状態にあるか否かを表す目印を付して表示させても良い。
【００３３】
以上に説明したように本実施形態によれば、車載ナビゲーションシステム１において、描画を要求するカーソル操作が例えば携帯機器１１にて行われると、描画メモリ６のメモリ空間のうち当該携帯機器１１に対して割当てたメモリ空間が所定容量未満であれば（不足していれば）、当該カーソル操作により要求された描画に必要な描画データをリソースデータベース１０から読出して携帯機器１１の描画メモリ１１ａに転送して当該描画メモリ１１ａのメモリ空間に展開させ、その描画データに基づく表示画面を携帯機器１１の表示装置１１ｂに表示させるように構成したので、通信回線を接続する携帯機器の台数が多くなって描画メモリ６のメモリ空間が不足してしまった場合であっても、表示画面をメイン表示装置７に表示するのではなく、表示画面を携帯機器１１の表示装置１１ｂに表示させることにより、ユーザが必要とする情報を携帯機器１１の表示装置１１ｂにて適切に提供することができる。
【００３４】
本発明は、上記した実施形態にのみ限定されるものではなく、以下のように変形または拡張することができる。
車載ナビゲーションシステムに適用する構成に限らず、他の車載システムに適用する構成であっても良い。携帯機器と車載ナビゲーションシステムとが無線通信する構成に限らず、携帯機器と車載ナビゲーションシステムとが有線通信する構成であっても良い。４台以上の携帯機器が車載ナビゲーションシステムとの間で通信回線を同時に接続する構成であっても良い。
【図面の簡単な説明】
【００３５】
【図１】本発明の一実施形態を示す機能ブロック図
【図２】描画メモリのメモリ空間の構成を概略的に示す図
【図３】車載ナビゲーションシステムでの表示画面の一例を示す図
【図４】レイヤの構成を概略的に示す図
【図５】図３相当図
【図６】図４相当図
【図７】図３相当図
【図８】処理の流れを示すシーケンス図
【図９】図３相当図
【図１０】図３相当図
【図１１】携帯機器での表示画面の一例を示す図
【符号の説明】
【００３６】
図面中、１は車載ナビゲーションシステム（車載マルチカーソルシステム）、２は制御部（制御手段）、３は近距離無線通信部（通信回線接続手段）、４は操作部（選択手段）、６は描画メモリ、７はメイン表示装置（表示手段）、１０はリソースデータベース（描画データ記憶手段）、１１〜１３は携帯機器、１１ａ〜１３ａは描画メモリ（別の描画メモリ）、１１ｂ〜１３ｂは表示装置（別の表示手段）である。
【図１】
2008090795.tif 000003
【図２】
2008090795.tif 000004
【図３】
2008090795.tif 000005
【図４】
2008090795.tif 000006
【図５】
2008090795.tif 000007
【図６】
2008090795.tif 000008
【図７】
2008090795.tif 000009
【図８】
2008090795.tif 000010
【図９】
2008090795.tif 000011
【図１０】
2008090795.tif 000012
【図１１】
2008090795.tif 000013